(57)【特許請求の範囲】
【請求項１】
電気部品を収容する収容部を有するソケット本体と、
上記ソケット本体の側面に所定間隔で形成された溝に挿入されて該ソケット本体内に配設され、上記電気部品の接続端子部に離接可能とされた複数のコンタクトピンと、
上記ソケット本体の上部に上下動可能に装着されたソケットカバーと、
を備える電気部品用ソケットにおいて、
上記ソケット本体の側面に形成された各溝内に、所定の長さと幅で断面矩形状に形成されて延び、その上面又は下面にその長手方向にわたって平坦に形成された本体側案内面を有し、その反対側の面には先端から奥に向かってその上下面間の距離を増す形状とされたテーパ形状部を中間部に形成した被圧迫面を有する突出部を設け、
上記コンタクトピンには、上記突出部と嵌合して挟持する断面コ字形状に開口され、上記本体側案内面に対応する面にその長手方向にわたって平坦に形成されたピン側ガイド面を有し、その反対側の面には上記突出部の被圧迫面を押し込む複数個の段部を上記断面コ字形状の開口端側のもの程高さが低くなるように形成した圧迫面を有する挟持部を設け、
上記突出部の被圧迫面を上記挟持部の圧迫面の段部によって押し込むことで、ソケット本体の突出部の上下面を挟持してコンタクトピンを固定することを特徴とする電気部品用ソケット。
【発明の詳細な説明】
【技術分野】
【０００１】
本発明は、ＩＣパッケージ等の電気部品を着脱可能に収容して、内部に配設されたコンタクトピンと接続することにより、外部の回路基板と電気的に接続させる電気部品用ソケットに関し、詳しくは、ソケット本体にコンタクトピンを圧入固定する際の応力により発生するソケット本体の破損を防止する電気部品用ソケットに係るものである。
【背景技術】
【０００２】
従来のこの種の電気部品用ソケットは、TSOP(Thin Small Outline Package)型やQFP(Quad Flat Package)型等のＩＣパッケージを着脱可能に保持し、このＩＣパッケージの初期不良を取り除くバーンインテスト等に使用されるもので、上面にＩＣパッケージを収容するための収容部を有し、側部にコンタクトピンを係止するための係止孔が設けられたソケット本体と、ソケット本体の係止孔と係合可能な係合部を有し、ソケット本体内に配設されたコンタクトピンと、ソケット本体に対して相対移動可能に設けられ、コンタクトピンに当接してコンタクトピンを作動させるソケットカバーとを備え、コンタクトピンの係合部をソケット本体の側部側からその係止孔内に圧入することによりコンタクトピンをソケット本体に固定していた（例えば、特許文献１参照）。
【特許文献１】特開２００１−１１０５３７号公報
【発明の開示】
【発明が解決しようとする課題】
【０００３】
しかし、従来の電気部品用ソケットにおいては、ソケット本体の側面の長手方向にわたって狭ピッチに複数設けられた係止孔に対して、コンタクトピンを圧入して固定するため、係止孔が押し広げられる力を受け、係止孔間の強度の弱い薄肉部が破損することがあった。このとき、係止孔が貫通孔状に形成されていたためより破損しやすくなっていた。さらに、ソケット本体に係止孔を設けたため、係止孔の上部に部材が必要となり、その分材料が多く用いられ、これに伴いソケット本体が大型化してその高さが高くなっていた。
【０００４】
そこで、本発明は、このような問題点に対処し、ソケット本体にコンタクトピンを圧入固定する際の応力により発生するソケット本体の破損を防止する電気部品用ソケットを提供することを目的とする。
【課題を解決するための手段】
【０００５】
上記目的を達成するために、本発明による電気部品用ソケットは、電気部品を収容する収容部を有するソケット本体と、上記ソケット本体の側面に所定間隔で形成された溝に挿入されて該ソケット本体内に配設され、上記電気部品の接続端子部に離接可能とされた複数のコンタクトピンと、上記ソケット本体の上部に上下動可能に装着されたソケットカバーと、を備える電気部品用ソケットにおいて、上記ソケット本体の側面に形成された各溝内に、所定の長さと幅で断面矩形状に形成されて延び、その上面又は下面にその長手方向にわたって平坦に形成された本体側案内面を有し、その反対側の面には先端から奥に向かってその上下面間の距離を増す形状とされたテーパ形状部を中間部に形成した被圧迫面を有する突出部を設け、上記コンタクトピンには、上記突出部と嵌合して挟持する断面コ字形状に開口され、上記本体側案内面に対応する面にその長手方向にわたって平坦に形成されたピン側ガイド面を有し、その反対側の面には上記突出部の被圧迫面を押し込む複数個の段部を上記断面コ字形状の開口端側のもの程高さが低くなるように形成した圧迫面を有する挟持部を設け、上記突出部の被圧迫面を上記挟持部の圧迫面の段部によって押し込むことで、ソケット本体の突出部の上下面を挟持してコンタクトピンを固定するようにしたものである。
【０００６】
このような構成により、所定の長さと幅で断面矩形状に形成されて延び、その上面又は下面にその長手方向にわたって平坦に形成された本体側案内面を有し、その反対側の面には先端から奥に向かってその上下面間の距離を増す形状とされたテーパ形状部を中間部に形成した被圧迫面を有して、ソケット本体の側面に形成された各溝内に設けられた突出部の上記被圧迫面を、上記突出部と嵌合して挟持する断面コ字形状に開口され、上記本体側案内面に対応する面にその長手方向にわたって平坦に形成されたピン側ガイド面を有し、その反対側の面には上記突出部の被圧迫面を押し込む複数個の段部を上記断面コ字形状の開口端側のもの程高さが低くなるように形成した圧迫面を有して、コンタクトピンに設けられた挟持部の上記圧迫面の段部によって押し込むことで、ソケット本体の突出部の上下面を挟持してコンタクトピンを固定する。
【発明の効果】
【００１０】
請求項１に係る発明によれば、所定の長さと幅で断面矩形状に形成されて延び、その上面又は下面にその長手方向にわたって平坦に形成された本体側案内面を有し、その反対側の面には先端から奥に向かってその上下面間の距離を増す形状とされたテーパ形状部を中間部に形成した被圧迫面を有して、ソケット本体の側面に形成された各溝内に設けられた突出部の上記被圧迫面を、上記突出部と嵌合して挟持する断面コ字形状に開口され、上記本体側案内面に対応する面にその長手方向にわたって平坦に形成されたピン側ガイド面を有し、その反対側の面には上記突出部の被圧迫面を押し込む複数個の段部を上記断面コ字形状の開口端側のもの程高さが低くなるように形成した圧迫面を有して、コンタクトピンに設けられた挟持部の上記圧迫面の段部によって押し込むことで、ソケット本体の突出部の上下面を挟持してコンタクトピンを固定することができる。これにより、本体側案内面にピン側ガイド面を当接することによって、ソケット本体に対するコンタクトピンの平行出しをすることができ、被圧迫面を圧迫面によって圧迫することにより、コンタクトピンをソケット本体の突出部に挟持固定することができる。したがって、ソケット本体に対して正確にコンタクトピンを固定することができる。また、従来のように、ソケット本体の係止孔にコンタクトピンを圧入して固定する必要がないため、係止孔を押し広げる力が加わることがなくなり、係止孔間の薄肉部の破損を防ぐことができる。
【発明を実施するための最良の形態】
【００１２】
以下、本発明の実施形態を添付図面に基づいて詳細に説明する。
図１は本発明による電気部品用ソケットの実施形態を示す図である。この電気部品用ソケットは、ＩＣパッケージ等の電気部品を着脱可能に収容して、内部に配設されたコンタクトピンと接続することにより、外部の回路基板と電気的に接続させるもので、例えばオープントップタイプのソケットであり、ソケット本体１と、コンタクトピン２と、ソケットカバー３とを備えて成る。
【００１３】
まず、電気部品としてのＩＣパッケージ４（図６参照）は、パッケージ本体５と、ＩＣリード６とから成る。パッケージ本体５は、内部にＩＣ（集積回路）等のデバイスを封入するもので、矩形の平板状に形成されている。また、パッケージ本体５の側面には複数のＩＣリード６が設けられている。このＩＣリード６は、パッケージ本体５内のデバイスとコンタクトピン２とを電気的に接続する接続端子となるもので、ピン状の導電部材により形成され、パッケージ本体５の側面に一列に配列されている。
【００１４】
ソケット本体１は、図示省略の回路基板上面に装着され、内部にＩＣパッケージ４を収容して固定することによりコンタクトピン２と接合させるもので、上面に収容部７を有し側面に溝１４を有している。
【００１５】
収容部７は、ＩＣパッケージ４を位置決めして収容するもので、図２に示すように、ソケット本体１上面の中央部に平面状に形成されている。また、溝１４は、コンタクトピン２を位置決めして固定するもので、図１に示すように、ソケット本体１の側面にコンタクトピン２と略同じ幅を有して複数形成され、このコンタクトピン２の配設ピッチで配列されている。
【００１６】
ソケット本体１内には、複数のコンタクトピン２が配設されている。このコンタクトピン２は、ＩＣパッケージ４と回路基板（図示省略）とを電気的に接続するもので、ソケット本体１の側面に所定間隔で形成された溝１４に挿入されてソケット本体１内に配設され、ＩＣパッケージ４のＩＣリード６に離接可能とされており、図４に示すように、固定部８と、接触部９と、操作片１１と、ソルダーテール部１２とを有する。
【００１７】
固定部８は、コンタクトピン２の後述の接触部９とソルダーテール部１２との間の導通部材となると共に、コンタクトピン２をソケット本体１（図１参照）に固定する部材となるもので、接触部９とソルダーテール部１２との間に設けられ、ソケット本体１の溝１４に挿入される。
【００１８】
また、固定部８の上部には、接触部９が設けられている。この接触部９は、ＩＣパッケージ４のＩＣリード６（図６参照）に電気的に接触するもので、固定側接触部１５と、可動側接触部１６とから成る。
【００１９】
固定側接触部１５は、ＩＣリード６のリード先端部１７の下面に当接して電気的に接触するもので、固定部８の上部から上方に延長されて形成されている固定片１８の先端に設けられ、ソケット本体１（図１参照）に形成された係止段部１９に係合されて固定されている。
【００２０】
また、固定側接触部１５の上面に当接するように、可動側接触部１６が設けられている。この可動側接触部１６は、ＩＣリード６のリード先端部１７の上面を押圧して電気的に接触するもので、固定部８の上部から上方に延長されて形成された可動片２１の先端に設けられ、この可動片２１の中間部にＣ字状の折曲部２２を形成することにより弾性を持たせて下方に付勢されている。
【００２１】
そして、固定側接触部１５と可動側接触部１６とで接触部９を形成し、この接触部９でＩＣリード６のリード先端部１７を挟み込んでリード先端部１７とコンタクトピン２とを電気的に接触させるようになっている。
【００２２】
さらにまた、可動片２１の上部には、操作片１１が設けられている。この操作片１１は、後述のソケットカバー３（図１参照）の上昇又は下降操作を可動側接触部１６に伝えるもので、ソケットカバー３によってその上部を押圧又は押圧解除されることにより、可動片２１を弾性変形させてその可動側接触部１６とＩＣリード６のリード先端部１７とを離接するようになっている。
【００２３】
また、固定部８の下部には、ソルダーテール部１２が下方に延長されて形成されている。このソルダーテール部１２は、回路基板（図示省略）に電気的に接続するもので、回路基板の貫通孔に挿通されて半田付けされることにより、電気的に接続するようになっている。
【００２４】
ソケット本体１の上部には、図１及び図２に示すように、ソケットカバー３が上下動可能に装着されている。このソケットカバー３は、その上下動によってコンタクトピン２を弾性変形させ、ソケット本体１の収容部７に収容されたＩＣパッケージ４のＩＣリード６をコンタクトピン２の接触部９で挟み込んで接続固定するための操作部材となるもので、開口部２３と、カバー操作部２４と、ピン押圧部２５とを有し、その四隅部にてリベット２６とコイルスプリング２７を介してソケット本体１に上下動可能に装着されている。
【００２５】
開口部２３は、ＩＣパッケージ４をソケット本体１の収容部７に収容するための空間部となるもので、ソケットカバー３の中央部の上面から下面に貫通してＩＣパッケージ４を挿入可能に矩形状に開口されている。
【００２６】
また、ソケットカバー３の上面には、カバー操作部２４が設けられている。このカバー操作部２４は、ソケットカバー３を下降させるための部材となるもので、このソケットカバー上面の開口部２３の周囲に平面状に形成されており、この操作部２４を下方に押圧することにより、ソケットカバー３を下降させるようになっている。
【００２７】
さらに、ソケット本体１の側部の下面にはピン押圧部２５が設けられている。このピン押圧部２５は、コンタクトピン２の操作片１１の上部を押圧又は押圧解除することにより、コンタクトピン２の可動片２１（図４参照）を弾性変形させてその接触部９とＩＣパッケージ４のリード先端部１７とを離接させるもので、断面円弧状又は斜面状に形成されている。
【００２８】
そして、電気部品用ソケットの四隅部には、図３に示すように、ソケット本体１とソケットカバー３とに貫通してリベット２６が抜け止め状態に装着されており、このリベット２６に軸支されてコイルスプリング２７を備えることにより、ソケットカバー３はソケット本体１に上下動可能に装着されている。
【００２９】
ここで、本発明においては、図１に示すように、ソケット本体１の側面に形成された各溝１４内に、断面矩形状に延びる突出部３１を設け、コンタクトピン２の固定部８には、突出部３１と嵌合して挟持する断面コ字形状の挟持部３２（図４参照）を設け、コンタクトピン２の挟持部３２でソケット本体１の突出部３１の上下面を挟持して該コンタクトピン２を固定したものである。
【００３０】
ソケット本体１の突出部３１は、図５に示すように、図４に示すコンタクトピン２の挟持部３２と嵌合してこのコンタクトピン２をソケット本体１（図１参照）内に固定するもので、ソケット本体１の溝１４の内側端面から溝１４と同じ厚さを有して略水平に所定の長さと幅で断面矩形状に形成されている。そして、この突出部３１の上面はその長手方向にわたって平坦に形成された本体側案内面３４となっており、その下面は突出部３１の先端から奥に向かってその幅を増す形状とされたテーパ形状部３５を有する被圧迫面３６となっている。この実施形態の場合、テーパ形状部３５は被圧迫面３６の長手方向の略中間部に一つ設けられ、突出部３１の先端側より奥側の幅を広く形成している。
【００３１】
また、コンタクトピン２の挟持部３２は、図４に示すように、ソケット本体１（図１参照）の突出部３１と嵌合してコンタクトピン２をソケット本体１の溝１４内に固定するもので、そのコ字形状の上側面は、その長手方向にわたって平坦に形成されたピン側ガイド面３７となっており、その下側面は、ソケット本体１の被圧迫面３６を押し込む段部３９を有する圧迫面３８となっている。この実施形態の場合、段部３９は、コ字形状の開口端側に斜面を有する断面台形形状に形成されており、圧迫面３８の長手方向に所定の間隔をもって例えば３つ設けられ、コ字形状の開口端側に設けられたもの程高さが低くなるように形成されている。
【００３２】
そして、図５に示す突出部３１の本体側案内面３４に、図４に示す挟持部３２のピン側ガイド面３７を当接させ、突出部３１の被圧迫面３６に挟持部３２の圧迫面３８を当接させて、コンタクトピン２をソケット本体１（図１参照）の溝１４内に挿入することにより、突出部３１の本体側案内面３４と挟持部３２のピン側ガイド面３７とによってソケット本体１に対するコンタクトピン２の平行出しが行われ、挟持部３２の圧迫面３８の段部３９によって突出部３１の被圧迫面３６が確実に圧迫されて、ソケット本体１の突出部３１をコンタクトピン２の挟持部３２で挟持してコンタクトピン２が固定されるようになっている。
【００３３】
次に、このように構成された電気部品用ソケットの使用状態について、図１を参照して説明する。まず、電気部品用ソケットは、その下面で図示省略の回路基板上に装着されることにより、コンタクトピン２と回路基板とが電気的に接続されている。この状態で、電気部品用ソケットにＩＣパッケージ４を収容するには、まず、ソケットカバー３のカバー操作部２４を下方に押圧する。これにより、ソケットカバー３のピン押圧部２５によって、コンタクトピン２の操作片１１が下方に押圧され、コンタクトピン２の可動側接触部１６が、図１に実線で示す挟持位置から２点鎖線で示す解除位置まで移動し、接触部９が開かれる。次に、ＩＣパッケージ４をソケット本体１の収容部７に収容する。これにより、ＩＣパッケージ４のＩＣリード６のリード先端部１７が、コンタクトピン２の開かれた接触部９の固定側接触部１５の上面に当接される。次に、ソケットカバー３に加えていた下方への押圧力を解除する。これにより、コイルスプリング２７の付勢力によってソケットカバー３が上昇し、これに伴いコンタクトピン２の接触部９が閉じられてＩＣパッケージ４のリード先端部１７を挟持し電気的に接続する。
【００３４】
次に、電気部品用ソケットからＩＣパッケージ４を取り外すには、上記と同様に、まずソケットカバー３を押し下げる。これに伴い、コンタクトピン２の接触部９が開かれる。これにより、ＩＣパッケージ４とコンタクトピン２との接続が解除され、ＩＣパッケージ４を電気部品用ソケットから取り外すことができる。
【００３５】
なお、以上の説明においては、コンタクトピン２をソケット本体１の四方の側面に配設した例を示したが、本発明はこれに限られず、ソケット本体１の一方の対向する２つの側面にのみ配設してもよい。また、ソケット本体１の突出部３１の上面に本体側案内面３４を設けその下面に被圧迫面３６を設け、コンタクトピン２の挟持部３２の上側面にピン側ガイド面を設けその反対側に圧迫面３８を設けたが、これに限られず、各々逆の関係として設けてもよい。
【図面の簡単な説明】
【００３６】
【図１】本発明による電気部品用ソケットの実施形態を示す、図２のＡ−Ａ線を切断面とした一部断面正面図である。
【図２】図１に示す電気部品用ソケットの平面図である。
【図３】図１に示す電気部品用ソケットの図２のＢ−Ｂ線を切断面とした側面図である。
【図４】図１に示す電気部品用ソケットのコンタクトピンを取り出して示す拡大正面図である。
【図５】図１に示す電気部品用ソケットのソケット本体の突出部を取り出して示す要部拡大断面図である。
【図６】ＩＣパッケージを示す図であり、（ａ）はＩＣパッケージの平面図、（ｂ）は（ａ）の正面図である。
【符号の説明】
【００３７】
１…ソケット本体
２…コンタクトピン
３…ソケットカバー
４…ＩＣパッケージ
６…ＩＣリード（接続端子部）
７…収容部
８…固定部
９…接触部
１１…操作片
１４…溝
１５…固定側接触部
１６…可動側接触部
２５…ピン押圧部
３１…突出部
３２…挟持部
３４…本体側案内面
３５…テーパ形状部
３６…被圧迫面
３７…ピン側ガイド面
３８…圧迫面
３９…段部
【図１】
0005004719.tif 000002
【図２】
0005004719.tif 000003
【図３】
0005004719.tif 000004
【図４】
0005004719.tif 000005
【図５】
0005004719.tif 000006
【図６】
0005004719.tif 000007